(57)【要約】【課題】支線装置の支線（ワイヤロープ）に張力が加えられたときに変形しても所定の形状を保てるような割シンブルを提供する。【解決手段】ワイヤロープからなる支線等の線状物の先端に形成されるアイ部に挿入されるＵ字状を呈した割シンブルであって、前記割シンブルの本体のＵ字状の開口部の相対する一方の面に突起部を設ける。【選択図】      図２
2004236491.tif 000002
【特許請求の範囲】
【請求項１】
地面に立設された電柱等の柱状物の上部にその柱状物の軸心方向と直交する方向に伸びるアームを設け、そのアームの先端から地面に向けて支線を張設する支線装置において、
前記支線は、棒状の軸棒に螺旋状の掘削刃を一体的に設けた地中に埋設されたアンカに接続されることを特徴とする支線装置。
【請求項２】
請求項１に記載の支線装置において、アンカは、地中に投入された骨材中に埋設されるものであることを特徴とする支線装置。
【請求項３】
請求項２に記載の支線装置において、骨材は、抵抗低減骨材であることを特徴とする支線装置。
【請求項４】
請求項１〜３のいずれかに記載の支線支持装置において、支線は、アンカ側に割シンブルの本体のＵ字状の開口部の相対する一方の面に突起部を設けた割シンブルを介して接続されることを特徴とする支線装置。
【請求項５】
ワイヤロープ等の線状物からなる支線装置の支線の先端に形成されるアイ部に挿入されるＵ字状を呈した支線装置で用いられる割シンブルであって、
前記割シンブルの本体のＵ字状の開口部の相対する一方の面に突起部を設けたことを特徴とする支線装置で用いられる割シンブル。
【請求項６】
請求項５に記載の支線装置で用いられる割シンブルにおいて、突起部の他方の面側の形状は、その他方の面が挿入される凹状面に形成されていることを特徴とする支線装置で用いられる割シンブル。
【請求項７】
請求項５又は６に記載の支線装置で用いられる割シンブルにおいて、割シンブルの本体は、地中に回転させて埋設される螺旋状の掘削刃を有する地中アンカと一緒に埋設される支線棒の先端のリング部に取付けられるものであることを特徴とする支線装置で用いられる割シンブル。
【発明の詳細な説明】
【０００１】
【発明の属する技術分野】
本発明は、配電線や電話線の電柱や信号機のポール等の柱状物、あるいは所定の構造物を支持するための支線装置、及びその支線装置で用いられる割シンブルに関する。
【０００２】
【従来の技術】
本出願人は、鋳鉄製の棒状体に螺旋状の掘削刃を一体的に設けたアンカ（地中アンカ）を提案している（特許文献１〜特許文献３参照。）。この提案に係るアンカは、配電線や電話線の電柱を立設するときの穴掘建柱車の回転部を利用して地中に簡単に埋設でき、電柱の支線を支持するアンカを容易に得ることができる特長がある。また、本出願人は、特願２００２−３２５３１９号等において、上記アンカを電柱のアース装置の電極と兼用できるようにすることも提案している。
【０００３】
ところで、従来の電柱やポール等の柱状物（以下、電柱を例にして説明する。）を支持する支線装置は、本発明の実施の態様の項の説明で用いる後述する図１に鎖線で示され、また、後述する図３に示されるように、電柱イの上部から斜め下方に伸びるように支線ロが張設されている。また、このような斜め下方に伸びる支線ロは、その支線ロの下方の土地の利用が制限され、その分だけ線下補償費がかさむので、あるいは、地形上の理由から電柱イから離れた位置にアンカを埋設することができないときは、弓形の支線装置が採用される。
【０００４】
上記弓形の支線装置を後述する図１を用いて説明すると、この弓形の支線装置は、電柱イの上部にその電柱イの軸心方向（垂直方向）と直交する方向（水平方向）に伸びるアーム１が設けられ、そのアーム１の先端部からほぼ真下に向けて支線２が設けられる。
【０００５】
【特許文献１】
特開２０００−１８５０号公報
【特許文献２】
特開２００１−５９２２１号公報
【特許文献３】
特開２００１−１８２０５３号公報
【０００６】
【発明が解決しようとする課題】
しかしながら、上記従来の弓形の支線装置は、支線が電柱の近くに位置するために線下補償費が安く、また、地形上の理由により斜め下方に伸ばした支線を設けられない場合でも設置することができる等の特長を有しているが、電柱を支持する支持力（耐張力）は、斜め下方に伸ばした支線装置よりも大きくしないと所定の支持力が得られないという欠点がある。このため、その支持力を得るために、支線は、斜め下方に伸びる支線よりも大きな張力を必要とし、必然的にその張力に耐えるアンカが必要となる。したがって、大きなコンクリートの塊のアンカを必要とする欠点がある。また、このようにアンカをコンクリート製としたときは、大きな穴の掘削と埋め戻しの工事が必要となり、結果的に電柱の立設作業が長時間に及んでしまうという問題点があった。
【０００７】
また、支線装置のワイヤーロープやケーブル等の線状物からなる支線（以下、支線をワイヤロープで説明するときもある。）は、アンカ側と割シンブルを介して接続されるが、従来のこの種の割シンブルは、鋼製からなり、その全体的形状はＵ字状を呈している。そして、そのＵ字状の外側の周囲には、ワイヤロープの先端に形成されるアイ部（目玉部）が挿入される溝条が設けられている。この割シンブルがワイヤロープのアイ部に設けられ、そのワイヤロープに所定の荷重が加えられたときは、割シンブルによりワイヤロープのアイ部に急な屈曲が発生せず、したがって、ワイヤロープを保護することができるという特長を有している。
【０００８】
しかしながら、上記従来の割シンブルは、ワイヤロープに荷重が加えられて開口部が絞められ、全体的な形状がＵ字状からリング状に変わるときに、開口部の接する互いの面が２つの円が接する形で接触するので、その接触位置がずれてやすく、つまり、捩じれてしまい、ワイヤロープのアイ部の屈曲が小さくなったり、あるいは、そのアイ部に異常な変形を与えてしまうおそれがあった。特に、上述のように、支線装置が弓形の支線装置の場合は、通常の支線装置よりも支線の張力が大きくなるので、張力が大きくとも所定の形状を保持することのできる割シンブルの出現が待たれていた。
【０００９】
そこで、本発明は、上記欠点を解決するためになされたものであって、その目的は、支線に高い張力を容易に得ることができる支線装置を提供するとともに、支線の張力が大きくとも所定の形状を保持することのできる割シンブルの提供することにある。
【００１０】
【課題を解決するための手段】
本発明に係る支線装置は、上記目的を達成するために、請求項１に記載の支線装置は、地面に立設された電柱等の柱状物の上部にその柱状物の軸心方向と直交する方向に伸びるアームを設け、そのアームの先端から地面に向けて支線を張設する支線装置において、前記支線は、棒状の軸棒に螺旋状の掘削刃を一体的に設けた地中に埋設されたアンカに接続されることを特徴としている。
本発明の請求項２に記載の支線装置は、アンカは、地中に投入された骨材中に埋設されるものであることを特徴としている。
本発明の請求項３に記載の支線装置は、アンカは、地中に投入された抵抗低減骨材中に埋設されるものであることを特徴としている。
本発明の請求項４に記載の支線装置は、支線は、アンカ側に割シンブルの本体のＵ字状の開口部の相対する一方の面に突起部を設けた割シンブルを介して接続されることを特徴としている。
本発明の請求項５に記載の支線装置で用いられる割シンブルは、ワイヤロープ等の線状物からなる支線装置の支線の先端に形成されるアイ部に挿入されるＵ字状を呈した支線装置で用いられる割シンブルであって、前記割シンブルの本体のＵ字状の開口部の相対する一方の面に突起部を設けたことを特徴としている。
本発明の請求項６に記載の支線装置で用いられる割シンブルは、突起部の他方の面側の形状は、その他方の面が挿入される凹状面に形成されていることを特徴としている。
本発明の請求項７に記載の支線装置で用いられる割シンブルは、割シンブルの本体は、地中に回転させて埋設される螺旋状の掘削刃を有する地中アンカと一緒に埋設される支線棒の先端のリング部に取付けられるものであることを特徴としている。
【００１１】
【発明の実施の形態】
以下、本発明の実施の形態を図面に基づいて説明する。図１は、本発明の一実施の形態に係る支線装置の概略構成図である。図中、イは、地面（地中というときもある。）Ｇに下部部分が埋設されて立設された電柱である。そして、その電柱イの上部には、その電柱イの軸心方向（垂直方向）と直交する方向（水平方向）に所定長さ伸びるアーム１が設けられている。
【００１２】
図中、２は、電柱イと反対側のアーム１の先端から下方に伸びて設けられた支線であり、その途中には、電気絶縁を図るための玉ガイシ２ａが設けられている。この支線２の下端には、支線棒３が設けられている。この支線棒３の下部は地中Ｇ内に位置し、そして、その支線棒３の下端には、アンカＡが設けられている。
【００１３】
このアンカＡについては、本出願人が特開２０００−１８５０号公報、同２００１−５９２２１号公報、同２００１−１８２０５８号公報等において提案しているものである。すなわち、このアンカＡは、鋳鉄製からなり、棒状の軸棒ａ１  に所定の間隔を保って複数（図示の例では３個）の螺旋状の掘削刃ａ２  ，ａ２  …を一体的に有しているので、電柱イを立設するときに用いられる穴掘建柱車の回転機構を用いて地中Ｇの任意の深さに簡単に埋設できる特長がある。なお、螺旋状の掘削刃ａ２  ，ａ２  …は、先端（図１において下端）ほどその径が小さくなるように形成されている。
【００１４】
このアンカＡを地中Ｇの所定深さに埋設するには、アンカＡの頂部に支線棒３を取付けるとともに、その支線棒３を内部に収納することのできる図示しない工具（嵌入パイプ）（この工具については、本出願に係る特開２００１−２７１３４５号公報に詳述されている。）をその頂部に設けられている角柱部に嵌め、その工具を図示しない穴掘建柱車の回転機構で回転させて行われる。そして、アンカＡが地中Ｇの所定深さに埋設された後、工具が外されると、図１に示されるように、地上には支線棒３の先端部が現れる。次いで、その支線棒３の先端に設けられているリング部３′に後述する割シンブルＴと同様のシンブル２ｂを介して支線２が取付けられる。
【００１５】
上記支線棒３は、電気絶縁性の合成樹脂膜が被覆されていて絶縁が施されている。なお、この支線棒３の絶縁は、支線棒３の囲りを絶縁カバーで覆って構成してもよく、支線２の下部及び支線棒３の上部を覆う支線ガードパイプ４を電気絶縁性の材料で形成するようにして絶縁を図るようにしてもよい。
【００１６】
図１中、Ｌは、電柱イに設けられるアース装置のアース線であり、その一端側は、アンカＡの上端部に接続され、その他端側は、電柱イの上端部の図示しない所定の部材、例えば、変圧器の架台等に取付けられている。このアース線Ｌは、地中Ｇ側においてはその地中Ｇに埋設され、また、電柱イ側においては少なくともその電柱イの地面から所定高さまでは電柱イの軸心に設けられている空間（図示せず）内に設けられる。なお、アース線Ｌは、電柱イ側において電柱イの軸心に設けられた空間内に配設されないとき、そのアース線Ｌは、電柱イの側面にバンド部材を介して設けられる。
【００１７】
上記アース線ＬのアンカＡへの取付けは、アンカＡの上端部に設けられている支線棒３を取付けるためのアイ部Ａ′を中間にして図示しない一対のアルミニウム（アルミニウム合金を含む。）製の端子を用いて行われる。これら端子のうちの一方の端子には、ビスの螺合されるねじ孔を有し、他方の端子には、ビスの軸部（ねじ部）が貫通することのできる孔を有している。そして、これら端子をビスで固定する際に、アース線Ｌの端部に設けられているリング部をビスに挿入して行われる。これにより、アース線ＬがアンカＡに取付けられる。このように、アース線Ｌがアルミニウム製の端子を介してアンカＡに取付けられると、これら端子は、鋳鉄製のアンカＡよりも卑な金属であるので、アンカＡの腐食を効果的に防止できる特長がある。
【００１８】
アンカＡは、通常、地中Ｇの深くまで埋設されるので、所定の接地抵抗値を得ることができるが、所定の接地抵抗値が得られないときは、アンカＡの周囲にコークス塊又はそのコークス塊に周知の電気抵抗低減剤を含浸させたような抵抗低減骨材５が設けられる。この抵抗低減骨材５は、アンカＡで先ず地面Ｇに前穴（下穴）をあけ、その前穴の底部に所定量投入される。そして、その投入された抵抗低減骨材５中にアンカＡを回転押圧しながら埋設すると、その抵抗低減骨材５は、アンカＡの螺旋状の掘削刃２ａ，２ａ…で破砕され、前穴の地中壁内に圧入されて圧密化され、結果的にアンカＡを取り巻く大きな強固な塊となる。この強固な塊は、アンカＡの接地抵抗値を低下させるだけでなく、アンカＡの張力を高める効果が得られる。したがって、アンカＡがアース装置として用いられないときでも骨材を設けるとアンカＡの張力を高めることができるので、地盤が軟質のときは有利となる。張力を高めるための骨材としては、上述のコークス以外に砕石や礫、あるいはコンクリート砕片等を用いることができる。なお、支線３用のアンカＡだけでは所定の接地抵抗値が得られないときは、そのアンカＡに隣接した地中Ｇにもう１個又は２個以上のアンカを埋設してアース装置の電極とするようにしてもよい。
【００１９】
上記構成からなる支線装置は、弓形の支線２の張力をアンカＡで得るので、そのアンカＡの埋設深さを選択するだけで、又はそのアンカＡの螺旋状の掘削刃２ａ，２ａ…の大きさを変えるだけで所定の張力を簡単に得ることができる。
【００２０】
図２は、本発明に係る割シンブルの斜視図、図３は、その割シンブルの使用例を説明する説明図である。この割シンブルの本体（以下、割シンブルの本体を含めて割シンブルとして説明する。）Ｔは鋼製からなり、その全体的形状はＵ字状を呈している。そして、そのＵ字状の外周面に当る部分にそのＵ字状に沿って断面半円状の溝条１０が形成されている。この半円状の溝条１０がＵ字状の外側に形成されているため、Ｕ字状の内側は、Ｕ字状の外側に向けて湾曲した面（凸状面）に形成されている。
【００２１】
図２中、１１は、突起部であって、Ｕ字状を呈した割シンブルＴの開口部Ｔ′の一方側（図示の例では左側）の内側に溶接等により設けられている。この突起部１１の大きさは、突起部１１が設けられてもその内側（Ｕ字状の内側）に後述する支線棒のリング部が挿入できる大きさに決められている。そして、この突起部１１の開口部Ｔ′の他方側の面は、その他方側の面の形状の凸状面が合致できる凹状面１１ａに形成されている。
【００２２】
図２中、ロ及びハは、上記構成の割シンブルＴが使用されるときの本発明の線状物の一例であるワイヤロープからなる支線ロ及びその支線ロが係止される支線棒ロをそれぞれ示している。この支線ロ及び支線棒ハは、図３又は上記図１に示されるように、地中Ｇに立設された電柱イを支持するために用いられるものである。
【００２３】
図３中、Ａは地中アンカであって、この地中アンカＡについては、上記図１と同様に、本出願人が特開２０００−１８５０号公報、同２００１−５９２２１号公報、同２００１−１８２０５８号公報等において提案しているものである。この地中アンカＡは、螺旋状の掘削刃ａを有しているので、電柱イを立設するときに用いられる穴掘建柱車の回転機構を用いて地中に簡単に埋設できる特長がある。
【００２４】
この地中アンカＡを地中Ｇの所定深さに埋設するには、地中アンカＡの頂部に支線棒ハを取付けるとともに、その支線棒ハを内部に収納することのできる図示しない工具（嵌入パイプ）（この工具については、本出願に係る特開２００１−２７１３４５号公報に詳述されている。）をその頂部に設けられている角柱部に嵌め、その工具を図示しない穴掘建柱車の回転機構で回転させて行われる。そして、地中アンカＡが地中Ｇの所定深さに埋設された後、工具が外されると、図３に示されるように、地上には支線棒ロの先端部が現れる。次いで、その支線棒ハの先端に設けられているリング部ハ′（図２参照）に本発明に係る割シンブルＴを介して支線ロが取付けられる。
【００２５】
この支線ロの取付けは、先ず、支線棒ハのリング部ハ′に割シンブルＴが開口部Ｔ′を介して挿入され、次いで、支線（ワイヤロープ）ロの先端が挿入されてアイ部ロ′が形成される。その後、支線ロが図示しない締付工具（シメラー）で張力が加えられると、その張力により開口部Ｔ′が徐々に狭まり、ついに突起部１１の凹状面１１ａが他方の面に接合して割シンブルＴはリング状に変形される。この変形されたときにおいても、割シンブルＴは、突起部１１により所定形状のリングを保持することができる。したがって、支線ロのアイ部ロ′の屈曲が極端に小さくなるなどの不都合を未然に防止することができる。支線ロに所定の張力が加えられた後、その支線ロ及び支線棒ハは、図示しない保護カバーで覆われる。
【００２６】
なお、上述の例では、割シンブルＴは、電柱イの支線用とされた例を示したが、他の構造物を支持する支線装置用としてもよいことはもちろんである。
【００２７】
【発明の効果】
本発明の請求項１に記載の支線装置は、地面に立設された電柱等の柱状物の上部にその柱状物の軸心方向と直交する方向に伸びるアームを設け、そのアームの先端から地面に向けて支線を張設する支線装置において、前記支線は、棒状の軸棒に螺旋状の掘削刃を一体的に設けた地中に埋設されたアンカに接続されているので、弓形の支線装置を簡単に作ることができる。
本発明の請求項２に記載の支線装置は、アンカは、地中に投入された骨材中に埋設されるものとしたので、アンカの耐張力を高めることができる。
本発明の請求項３に記載の支線装置は、骨材は、抵抗低減骨材であるので、アンカがアース装置を兼用したときの接地抵抗値を下げることができるとともに、アンカの張力を高めることができる。
本発明の請求項４に記載の支線装置は、支線は、アンカ側に割シンブルの本体のＵ字状の開口部の相対する一方の面に突起部を設けた割シンブルを介して接続されるので、支線に張力が加えられたときの変形を防止することができる。
本発明の請求項５に記載の支線装置で用いられる割シンブルは、割シンブルの本体のＵ字状の開口部の相対する一方の面に突起部を設けたので、支線（ワイヤロープ）に張力が加えられたときの変形を所定の形状に保つことができる。
本発明の請求項６に記載の支線装置で用いられる割シンブルは、突起部の他方の面側の形状は、その他方の面が挿入される凹状面に形成されているので、割シンブルの変形したときの形状をより正確に保つことができる。
本発明の請求項７に記載の支線装置で用いられる割シンブルは、割シンブルの本体は、地中に回転させて埋設される螺旋状の掘削刃を有する地中アンカと一緒に埋設される支線棒の先端のリング部に取付けられるものとしたので、支線棒の先端から割シンブルを外した状態でアンカを埋設でき、また、割シンブルであるので、Ｕボルト等を介在させて支線を取付ける必要がないため、既設の保護カバーで覆うことができる。
【図面の簡単な説明】
【図１】本発明に係る支線装置の概略構成図である。
【図２】本発明の一実施の形態に係る割シンブルの斜視図である。
【図３】割シンブルの使用例である。
【符号の説明】
イ  電柱
１  アーム
２，ロ  支線
３，ハ  支線棒
４  支線ガードパイプ
５  抵抗低減骨材（骨材）
Ｌ  アース線
Ａ  アンカ
Ｇ  地面（地中）
Ｔ  割シンブル（割シンブルの本体）
Ｔ′  開口部
１０  溝条
１１  突起部
１１ａ  凹状面
【図１】
2004236491.tif 000003
【図２】
2004236491.tif 000004
【図３】
2004236491.tif 000005